【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】  環境ストレス条件に対する増強された耐性若しくは抵抗性を有するトランスジェニック植物の作出のための、ＨＳＰ  １７．６Ａタンパク質をコードする単離されたポリ核酸又は活性ドメインをコードしている該ポリ核酸の一部の使用。
【請求項２】  請求項１記載の単離されたポリ核酸の、それによりコードされるタンパク質の植物細胞における過剰発現のための使用であって、該ポリ核酸が、
（ａ）配列番号３又はその相補的な鎖、
（ｂ）（ａ）で定義された配列とハイブリダイズするポリ核酸又はその断片、
（ｃ）遺伝暗号が原因で（ａ）又は（ｂ）で定義されたポリ核酸配列に縮重されるポリ核酸配列
（ｄ）配列番号３と少なくとも５０％同一であり、有利には少なくとも５５％、６０％、６５％又は７０％同一であり、より好ましくは少なくとも７５％、８０％、又は８５％同一であり、最も好ましくは少なくとも９０％又は９５％同一である配列を有するポリ核酸配列又はその一部、又は
（ｅ）配列番号４の配列を有するタンパク質と実質的に同じ生物学的活性を有するポリ核酸配列
（ｆ）（ａ）〜（ｅ）のいずれか１つのポリ核酸によってコードされるタンパク質の断片をコードするポリ核酸配列
から選択される、環境ストレス条件に対する増強された耐性若しくは抵抗性を有するトランスジェニック植物の作出のための使用。
【請求項３】  該ポリ核酸が、アラビドプシス  サリアナ（Arabidopsis thaliana）のような植物に由来する、請求項１又は２に記載の使用。
【請求項４】  環境ストレス条件に対して増強された耐性又は抵抗性を有する植物を生産するための、請求項１〜３のいずれか１項に記載のポリ核酸にコードされ得るポリペプチド、又はその機能的断片の使用。
【請求項５】  環境ストレスに対して増強された耐性又は抵抗性を有する植物を生産する方法であって、該方法が、環境ストレスに対する増強された耐性又は抵抗性を与えるのに効果的な量で発現する請求項１〜３のいずれか１項に記載のポリ核酸を含む組換えＤＮＡを植物細胞に一過的に導入することを含む方法。
【請求項６】  環境ストレスに対する増強された耐性又は抵抗性を有する植物を生産する方法であって、該方法が、環境ストレスに対する増強された耐性又は抵抗性を与えるのに効果的な量で発現する請求項１〜３のいずれか１項に記載のポリ核酸を含む組換えＤＮＡを植物細胞に安定的に導入することを含む方法。
【請求項７】  １つ以上の組換えＤＮＡ分子を、植物細胞のゲノムの中に導入する、請求項５又は６記載の方法であって、該組換えＤＮＡ分子が、
（ｉ）請求項１〜３のいずれか１項に記載のポリ核酸、
（ii）植物発現可能プロモーターであって、それによって該ポリ核酸が、同じ転写単位内になり、かつ該植物発現可能プロモーターの調節下になる、植物発現可能プロモーター
を含む、請求項５又は６記載の方法。
【請求項８】  １つ以上の組換えＤＮＡ分子を、植物細胞のゲノムの中に導入する、請求項５又は６記載の方法であって、該組換えＤＮＡ分子が、
（ｉ）該植物細胞内で効果的な量で発現された場合に、請求項１〜３のいずれか１項に記載の内在性ポリ核酸の発現を調節するか、又は請求項４記載のポリペプチドの活性を調節するタンパク質をコードしているＤＮＡ、
（ii）植物発現可能プロモーターであって、それによって該ポリ核酸が、同じ転写単位内になり、かつ該植物発現可能プロモーターの調節下になる、植物発現可能プロモーター
を含む、請求項５又は６記載の方法。
【請求項９】  該ＤＮＡが、請求項１〜３のいずれか１項記載の内在性ポリ核酸配列の発現を調節することができるセンス若しくはアンチセンスＲＮＡ分子又はリボザイムをコードする、請求項８記載の方法。
【請求項１０】  該方法が、植物細胞中で過剰に発現された場合に、該植物の環境ストレスに対する抵抗性を増強する、請求項１〜３のいずれか１項に記載のポリ核酸を含む組換えＤＮＡを植物細胞に導入することを含む、環境ストレスに対する抵抗性を増強するための、請求項５〜８のいずれか１項に記載の方法。
【請求項１１】  該方法が、植物細胞中で過剰に発現された場合に、該植物の塩ストレスに対する抵抗性を増強する、請求項１〜３のいずれか１項に記載のポリ核酸を含む組換えＤＮＡを植物細胞に導入することを含む、環境ストレスに対する抵抗性を増強するための、請求項５〜８のいずれか１項に記載の方法。
【請求項１２】  該方法が、植物細胞中で過剰に発現された場合に、該植物の環境ストレスに対する抵抗性を増強する、請求項１〜３のいずれか１項に記載のポリ核酸を含む組換えＤＮＡを植物細胞に導入することを含む、環境ストレス条件下での収穫量を改善するための、請求項５〜８のいずれか１項に記載の方法。
【請求項１３】  該方法が、植物細胞中で過剰に発現された場合に、該植物の環境ストレスに対する抵抗性を増強する、請求項１〜３のいずれか１項に記載のポリ核酸を含む組換えＤＮＡを植物細胞に導入することを含む、環境ストレス条件下での成長を改善するための、請求項５〜８のいずれか１項に記載の方法。
【請求項１４】  該方法が、植物細胞中で過剰に発現された場合に、該植物の環境ストレスに対する抵抗性を増強する、請求項１〜３のいずれか１項に記載のポリ核酸を含む組換えＤＮＡを植物細胞に導入することを含む、環境ストレス条件下での発育を改善するための、請求項５〜８のいずれか１項に記載の方法。
【請求項１５】  該方法が、植物細胞中で過剰に発現された場合に、該植物の環境ストレスに対する抵抗性を増強する、請求項１〜３のいずれか１項に記載のポリ核酸を含む組換えＤＮＡを植物細胞に導入することを含む、環境ストレス条件下での生産力を改善するための、請求項５〜８のいずれか１項に記載の方法。
【請求項１６】  （ｉ）請求項１〜３のいずれか１項に記載のポリ核酸、
（ii）植物発現可能プロモーターであって、それによって該ポリ核酸が、同じ転写単位内になり、かつ該植物発現可能プロモーターの調節下になる、植物発現可能プロモーター
を含む組換えポリ核酸の環境ストレス条件に対する増強された耐性又は抵抗性を有する組換え植物の作出のための使用。
【請求項１７】  （ｉ）該植物細胞内で効果的な量で発現された場合に、請求項１〜３のいずれか１項に記載の内在性ポリ核酸の発現を調節するか、又は請求項４記載のポリペプチドの活性を調節するタンパク質をコードしているＤＮＡ、
（ii）植物発現可能プロモーターであって、それによって該ＤＮＡが、同じ転写単位内になり、かつ該植物発現可能プロモーターの調節下になる、植物発現可能プロモーター
を含む組換えポリ核酸の環境ストレス条件に対する増強された耐性又は抵抗性を有する組換え植物の作出のための使用。
【請求項１８】  環境ストレス条件に対する増強された耐性又は抵抗性を有するトランスジェニック植物の生産のための、請求項１７に記載の組換えポリ核酸の使用であって、ここで、該ＤＮＡが、植物細胞中で発現された場合に請求項１〜３のいずれか１項に記載の内在性ポリ核酸の発現を調節するか、又は請求項４記載のタンパク質の活性を調節するアンチセンスＲＮＡ、リボザイム若しくはセンスＲＮＡをコードする、請求項１７に記載の組換えポリ核酸の使用。
【請求項１９】  該植物発現可能プロモーターが、構成プロモーターである、請求項１６〜１８のいずれか１項に記載の使用。
【請求項２０】  該植物発現可能プロモーターが、ストレス誘導可能又は器官若しくは組織特異的プロモーターである、請求項１６〜１８のいずれか１項に記載の使用。
【請求項２１】  該植物発現可能プロモーターが、ＣａＭＶの３５Ｓプロモーターである、請求項１６〜１８のいずれか１項に記載の使用。
【請求項２２】  （ｉ）請求項１〜３のいずれか１項に記載のポリ核酸、
（ii）植物発現可能プロモーターであって、それによって該ポリ核酸が、同じ転写単位内になり、かつ該植物発現可能プロモーターの調節下になる、植物発現可能プロモーター
を含む、組換えポリ核酸。
【請求項２３】  （ｉ）該植物細胞内で効果的な量で発現された場合に、請求項１〜３のいずれか１項に記載の内在性ポリ核酸の発現を調節するか、又は請求項４記載のポリペプチドの活性を調節するタンパク質をコードしているＤＮＡ、
（ii）植物発現可能プロモーターであって、それによって該ＤＮＡが、同じ転写単位内になり、かつ該植物発現可能プロモーターの調節下になる、植物発現可能プロモーター
を含む組換えポリ核酸。
【請求項２４】  該ＤＮＡが、該植物細胞内で発現された場合に、請求項１〜３のいずれか１項記載の内在性ポリ核酸配列の発現を調節するか、又は請求項４記載のポリペプチドの活性を調節するアンチセンスＲＮＡ、リボザイム又はセンスＲＮＡをコードする、請求項２３記載の組換えポリ核酸。
【請求項２５】  配列番号３のヌクレオチド配列の少なくとも一部を含む、請求項２２記載の組換えポリ核酸。
【請求項２６】  配列番号４に定義されたタンパク質をコードしている遺伝子のコーディング配列の少なくとも一部を含む、請求項２２〜２５のいずれか１項に記載の組換えポリ核酸。
【請求項２７】  該植物発現可能プロモーターが構成プロモーターである、請求項２２〜２５のいずれか１項に記載の組換えポリ核酸。
【請求項２８】  該植物発現可能プロモーターがストレス誘導可能又は器官若しくは組織特異的プロモーターである、請求項２２〜２５のいずれか１項に記載の組換えポリ核酸。
【請求項２９】  該植物発現可能プロモーターがＣａＭＶの３５Ｓプロモーターである、請求項２２〜２５のいずれか１項に記載の組換えポリ核酸。
【請求項３０】  請求項１〜３のいずれか１項に記載のポリ核酸で形質転換された、組換え宿主細胞。
【請求項３１】  請求項２２〜２９のいずれか１項に記載の組換えポリ核酸で形質転換された植物細胞。
【請求項３２】  請求項３１記載の植物細胞から実質的になる植物。
【請求項３３】  請求項３１記載の植物細胞から実質的になるカルス。
【請求項３４】  植物細胞懸濁培養における２次植物代謝物の産生のための、請求項３３記載のカルスの使用。
【請求項３５】  該組換えポリ核酸を含む、請求項３２記載の植物の、収獲できる部分、器官、組織又は繁殖材料。
【請求項３６】  環境ストレス条件に対する増強された耐性又は抵抗性を有するトランスジェニック生物、好ましくは環境ストレス条件に対する増強された耐性又は抵抗性を有するトランスジェニック植物を作出するための、請求項２２又は２９記載の組換えポリ核酸の使用。
【請求項３７】  請求項１〜３のいずれか１項に記載のポリ核酸の部分であるプローブであって、該ポリ核酸又はその相補体と特異的にハイブリダイズするプローブの、細胞又は器官のストレス耐性を増強するための薬学的若しくは農業化学的組成物の部分としての使用。
【請求項３８】  請求項１〜３のいずれか１項に記載のポリ核酸の部分であるプライマーであって、該ポリ核酸又はその相補体を特異的に増幅するプライマーの、細胞又は器官のストレス耐性を増強するための薬学的若しくは農芸化学的組成物の部分としての使用。
【請求項３９】  請求項１〜３のいずれか１項記載のポリ核酸、請求項４記載のポリペプチド、請求項３７記載のプローブ、又は請求項３８記載のプライマーを含む組成物。
【請求項４０】  細胞又は器官のストレス耐性を増強するための、請求項３９記載の組成物の、薬学的若しくは農芸化学的組成物としての使用。